(57)【要約】【課題】簡易な操作で任意のフォルダに迅速に取得データを格納する。【解決手段】携帯電話は、データを格納するフォルダに関するフォルダリスト画像またはデータリスト画像を表示部に表示させた状態で、赤外線通信によるデータ取得指示の入力を受け付ける入力制御部１５４を備える。また、携帯電話は、入力制御部１５４によって受け付けたデータ取得指示に応じて赤外線通信部を制御してデータを取得する赤外線通信制御部１５０を備える。また、携帯電話は、赤外線通信部によって取得されたデータを、データ取得指示を受け付けた際に表示されていたフォルダリスト画像またはデータリスト画像によって特定されるフォルダに対応付けてデータ記憶部に格納するデータ管理部１５６を備える。【選択図】図２
2012059067.tif 000002
【特許請求の範囲】
【請求項１】
データを格納するフォルダに関するフォルダ画像を表示部に表示させた状態で、データ取得指示の入力を受け付ける入力制御部と、
前記入力制御部によって受け付けたデータ取得指示に応じてデータ取得部からデータを取得するデータ取得制御部と、
前記データ取得部によって取得されたデータを、前記データ取得指示を受け付けた際に前記表示部に表示されていた前記フォルダ画像によって特定されるフォルダに対応付けてデータ記憶部に格納するデータ管理部と
を備えたことを特徴とするデータ管理装置。
【請求項２】
前記フォルダ画像は、前記データを格納する候補となる複数のフォルダを表示するとともに前記複数のフォルダのいずれかが選択された状態のフォルダリスト画像、または前記フォルダ内に格納されたデータが表示された状態のデータリスト画像である
ことを特徴とする請求項１に記載のデータ管理装置。
【請求項３】
前記データ取得部は、データ通信により他の装置からデータを取得するデータ通信部または画像撮像機能によりデータを取得する画像撮像部である
ことを特徴とする請求項１または２に記載のデータ管理装置。
【請求項４】
データ管理装置により実行されるデータ管理方法であって、
前記データ管理装置が、
データを格納するフォルダに関するフォルダ画像を表示部に表示させた状態で、データ取得指示の入力を受け付け、
受け付けられた前記データ取得指示に応じてデータ取得部からデータを取得し、
取得された前記データを、前記データ取得指示を受け付けた際に前記表示部に表示されていた前記フォルダ画像によって特定されるフォルダに対応付けてデータ記憶部に格納することを特徴とするデータ管理方法。
【請求項５】
コンピュータに、
データを格納するフォルダに関するフォルダ画像を表示部に表示させた状態で、データ取得部によるデータ取得指示の入力を受け付け、
前記受け付けたデータ取得指示に応じて前記データ取得部を制御して前記データを取得し、
前記取得されたデータを、前記データ取得指示を受け付けた際に前記表示部に表示されていた前記フォルダ画像によって特定されるフォルダに対応付けてデータ記憶部に格納する
処理を実行させることを特徴とするデータ管理プログラム。
【発明の詳細な説明】
【技術分野】
【０００１】
本発明は、データ管理装置、データ管理方法、およびデータ管理プログラムに関する。
【背景技術】
【０００２】
従来、画像や映像等のデータの撮影機能を備えるカメラや携帯電話等の電子機器は、撮影によって取得されたデータを記憶部に格納する際、予め設定されたフォルダに格納するのが一般的であった。
【０００３】
また、赤外線通信やBluetooth（登録商標）通信の機能を備える電子機器では、データ通信機能を利用して、他の電子機器とデータ交換を行い、他の電子機器から画像や音楽等のデータを取得することが行われている。この場合でも、電子機器は、取得されたデータを予め決められたフォルダに格納するのが一般的であった。
【０００４】
このような電子機器では、利用者が任意のフォルダを新規に作成して、新規フォルダにデータの振り分けを行うことが知られている。しかし、従来技術は、画像撮影やデータ通信によって取得されたデータが予め設定されたフォルダに一旦格納された後、格納されたデータを手作業で新規フォルダに移動するため、データ管理のための操作が煩雑であった。
【０００５】
このような煩わしさを解消するために、デジタルカメラ等の電子カメラにおいて、予め利用者に格納フォルダを指定させ、指定された格納フォルダに撮影された画像データを格納する技術が知られている。この技術によれば、利用者が自由に取得データの格納先フォルダを設定することができる。
【先行技術文献】
【特許文献】
【０００６】
【特許文献１】特開２００１−１６９２２２号公報
【発明の概要】
【発明が解決しようとする課題】
【０００７】
しかしながら、従来技術は、利用者が取得データの格納先フォルダを設定した後、画像撮影やデータ通信によりデータを取得するまでの操作に手間がかかるし、迅速にデータを取得するのが困難となる。
【０００８】
すなわち、従来技術は、利用者がデータの格納先フォルダを設定した後、例えば携帯電話の待ち受け画面などの初期画面に戻り、画像撮影機能またはデータ通信機能を起動するための画面に移ってから、画像撮影機能やデータ通信機能を起動する。このため、利用者は、取得データの格納先フォルダを設定した後データを取得するまでの操作に手間がかかるし、データの格納先フォルダを設定した後迅速にデータを取得するのが困難になる。
【０００９】
開示の技術は、上記に鑑みてなされたものであって、簡易な操作で任意のフォルダに迅速に取得データを格納することができるデータ管理装置、データ管理方法、およびデータ管理プログラムを提供することを目的とする。
【課題を解決するための手段】
【００１０】
本願の開示するデータ管理装置は、一つの態様において、データを格納するフォルダに関するフォルダ画像を表示部に表示させた状態で、データ取得指示の入力を受け付ける入力制御部を備える。また、データ管理装置は、前記入力制御部によって受け付けたデータ取得指示に応じてデータ取得部からデータを取得するデータ取得制御部を備える。また、データ管理装置は、前記データ取得部によって取得されたデータを、前記データ取得指示を受け付けた際に前記表示部に表示されていた前記フォルダ画像によって特定されるフォルダに対応付けてデータ記憶部に格納するデータ管理部を備える。
【発明の効果】
【００１１】
本願の開示するデータ管理装置の一つの態様によれば、簡易な操作で任意のフォルダに迅速に取得データを格納することができる。
【図面の簡単な説明】
【００１２】
【図１】図１は、第１実施例の携帯電話のハードウェア構成を示す図である。
【図２】図２は、第１実施例の携帯電話の機能ブロックを示す図である。
【図３】図３は、第１実施例のフォルダリスト画像の一例を示す図である。
【図４】図４は、第１実施例のデータリスト画像の一例を示す図である。
【図５】図５は、第１実施例の携帯電話のデータ管理処理を示すフロー図である。
【図６】図６は、取得データが格納される前のフォルダＢのデータの格納状況の一例を示す図である。
【図７】図７は、取得データが格納された後のフォルダＢのデータの格納状況の一例を示す図である。
【図８】図８は、取得データが格納された後のデータリスト画像の一例を示す図である。
【図９】図９は、第２実施例の携帯電話のハードウェア構成を示す図である。
【図１０】図１０は、第２実施例の携帯電話の機能ブロックを示す図である。
【図１１】図１１は、第２実施例のフォルダリスト画像の一例を示す図である。
【図１２】図１２は、第２実施例のデータリスト画像の一例を示す図である。
【図１３】図１３は、第２実施例の携帯電話のデータ管理処理を示すフロー図である。
【発明を実施するための形態】
【００１３】
以下に、本願の開示するデータ管理装置、データ管理方法、およびデータ管理プログラムの実施例を図面に基づいて詳細に説明する。なお、この実施例により開示技術が限定されるものではない。例えば、以下の実施例では、データ管理装置の一例として携帯電話を挙げて説明するが、データ管理装置は、画像撮像機能によって画像データを取得できるカメラ等の電子機器またはデータ通信機能によりデータを取得できる電子機器とすることもできる。
【実施例１】
【００１４】
第１実施例は、赤外線通信機能を備える携帯電話が、赤外線通信によって他の電子機器からデータを取得して、任意のフォルダに取得データを格納する例を説明する。なお、この場合のフォルダとは、携帯電話内のデータ記憶部に記憶されたデータを仮想的にグルーピングするものであり、フォルダに格納するということは、データ記憶部に記憶されるデータを特定のフォルダに関連付けて記憶することをいう。また、携帯電話が取得するデータは、画像データに限られるものではなく、動画データや音楽データ等、携帯電話内でデータファイルとしてフォルダに分類して記憶することができるデータであればどのような種別のデータであってもよい。
【００１５】
また、通信機能は赤外線通信に限られず、Bluetooth（登録商標）通信等の無線通信で実現することもできるし、有線通信で実現することもできる。また、他の電子機器からデータを取得するのではなく、メモリカード等の外部記録媒体からデータを取得する場合であっても実現することができる。また、フォルダにデータを格納する場合には、実際の処理ではデータがフォルダに記録されるわけではなく、電子機器が備えるデータ記憶部に格納される際に、その管理データとしてフォルダとの関連情報を生成して記録する。しかし、本明細書では説明の便宜上、このようなフォルダとの関連情報を生成することをフォルダに格納する、という表現を用いて説明することがある。
【００１６】
図１は、第１実施例の携帯電話のハードウェア構成を示す図である。図１に示すように、本実施例の携帯電話１００は、無線通信部１０４、表示部１０６、音声入出力部１１２、赤外線通信部１２０、メモリ１３０、SD(Secure Digital)カード挿入スロット１３５、およびプロセッサ１４０を備える。SDカード挿入スロット１３５には、SDカード１３６が挿入されている。
【００１７】
無線通信部１０４は、携帯電話１００に設けられたアンテナ１０２を介して音声や文字などの各種データの無線通信を行う。表示部１０６は、文字や画像などの各種情報を表示する液晶パネルなどの出力インターフェースである。また、音声入出力部１１２は、携帯電話１００に設けられたマイク１０８を介して音声を入力するとともにスピーカ１１０を介して音声を出力する入出力インターフェースである。
【００１８】
赤外線通信部１２０は、他の電子機器との間で赤外線通信を行うことによってデータ送受信を行い、他の電子機器からデータを取得するデータ取得部である。メモリ１３０は、携帯電話１００の各種機能を実行するためのデータを格納するROM(Read Only Memory)１３２と、各種機能を実行するための各種プログラムを格納するRAM（Random Access Memory）１３４とを有する。
【００１９】
プロセッサ１４０は、RAM１３４に格納された各種プログラムを実行するＣＰＵ（Central Processing Unit）である。プロセッサ１４０は、RAM１３４に格納された各種プログラムを実行することにより、上述した無線通信部１０４、表示部１０６、音声入出力部１１２、および赤外線通信部１２０を制御する。なお、プロセッサ１４０で実行されるプログラムは、RAM１３４に格納されるだけではなく、CD(Compact Disc)-ROMやメモリ媒体等の頒布できる記録媒体に記録しておき、記録媒体から読み出して実行することができる。さらに、ネットワークを介して接続されたサーバにプログラムを格納し、サーバ上でプログラムが動作するようにしておいて、ネットワークを介して接続される端末装置からの要求に応じてサービスを要求元の端末装置に提供するようにすることもできる。
【００２０】
図２は、第１実施例の携帯電話１００の機能ブロックを示す図である。携帯電話１００は、プロセッサ１４０がRAM１３４から各種プログラムを読み出して実行することによって実現される機能ブロックとして、赤外線通信制御部１５０、表示制御部１５２、入力制御部１５４、およびデータ管理部１５６を備える。また、携帯電話１００は、管理データ記憶部１５８、およびデータ記憶部１６０を備える。管理データ記憶部１５８、およびデータ記憶部１６０は、例えばRAM１３４の内部に設けられるデータの記憶部である。
【００２１】
赤外線通信制御部１５０は、赤外線通信部１２０を制御して、赤外線通信機能の起動制御、停止制御、および赤外線通信による他の電子機器とのデータ送受信制御を実行する。表示制御部１５２は、表示部１０６に表示する表示画像に関する制御を実行する。表示制御部１５２は、例えば、データを格納するフォルダに関するフォルダ画像を表示部１０６に表示させる。フォルダ画像の詳細は後述する。
【００２２】
入力制御部１５４は、携帯電話１００のキーからの入力指令および表示部１０６の表示上からの入力指令を受け付ける。入力制御部１５４は、例えば、赤外線通信部１２０によるデータ取得指示の入力を受け付ける。データ管理部１５６は、赤外線通信部１２０によって取得されたデータを、データ取得指示を受け付けた際に表示部１０６に表示されていたフォルダ画像によって特定されるフォルダに対応付けてデータ記憶部１６０に格納する。データ管理部１５６の詳細は後述する。
【００２３】
データ記憶部１６０は、他の電子機器等から取得したデータが格納される記憶領域である。また、管理データ記憶部１５８は、データ記憶部１６０に格納されたデータの属性情報が格納される記憶領域である。データの属性情報は、例えばデータが格納されるフォルダ情報などの属性情報である。
【００２４】
次に、表示部１０６に表示されるフォルダ画像の例として、フォルダリスト画像とデータリスト画像について説明する。図３は、第１実施例のフォルダリスト画像の一例を示す図である。図３に示すようにフォルダリスト画像１７０は、データを格納する候補となる複数のフォルダＡ〜フォルダＥを表示部１０６に表示するとともに、複数のフォルダＡ〜フォルダＥのいずれかが選択された状態の画像である。フォルダの選択操作は、例えば選択カーソル１７２を携帯電話１００の操作部の上下操作キーによって上下操作させて、選択するフォルダを反転表示させることにより、任意のフォルダを選択することができる。図３のフォルダリスト画像１７０は、フォルダＡ〜フォルダＥのうちフォルダＢが選択された状態を示している。本実施例は、他の電子機器から赤外線通信によって取得したデータをフォルダＢに格納する例を説明する。また、図３に示すように、フォルダリスト画像１７０を表示部１０６に表示した状態で、戻るボタン１７３と赤外線通信ボタン１７４それぞれを押下操作できるようになっている。
【００２５】
図４は、第１実施例のデータリスト画像の一例を示す図である。図４は、図３のフォルダリスト画像１７０でフォルダＢが選択カーソル１７２によって選択された状態において、例えば携帯電話１００の操作部の実行キーが押下されたときに表示される画像である。図４に示すように、データリスト画像１８０は、フォルダＢに格納されている複数のデータａ〜データｄが表示された状態の画像である。また、図４に示すように、データリスト画像１８０を表示部１０６に表示した状態で、戻るボタン１７３と赤外線通信ボタン１７４それぞれを押下操作できるようになっている。
【００２６】
次に、第１実施例の携帯電話１００のデータ管理処理について説明する。図５は、第１実施例の携帯電話のデータ管理処理を示すフロー図である。図５に示すように、データ管理処理において、まず、表示制御部１５２は、表示部１０６にフォルダリスト画像１７０を表示する（ステップＳ１０１）。続いて、データ管理部１５６は、フォルダリスト画像１７０を表示している状態で、どの入力操作がなされたかを判定する（ステップＳ１０２）。具体的には、データ管理部１５６は、戻るボタン１７３が操作されたか、携帯電話１００の操作部の実行キーが操作されたか、または赤外線通信ボタン１７４が操作されたかを判定する。データ管理部１５６は、戻るボタン１７３が操作された場合には、処理を終了する。また、表示制御部１５２は、データ管理部１５６によって携帯電話１００の操作部の実行キーが操作されたと判定された場合には、選択カーソル１７２によって選択されているフォルダのデータリスト画像１８０を表示部１０６に表示する（ステップＳ１０３）。
【００２７】
データリスト画像１８０を表示した後、データ管理部１５６は、データリスト画像１８０を表示している状態で、どの入力操作がなされたかを判定する（ステップＳ１０４）。具体的には、データ管理部１５６は、戻るボタン１７３が操作されたか、または赤外線通信ボタン１７４が操作されたかを判定する。データ管理部１５６は、戻るボタン１７３が操作された場合には、ステップＳ１０１に戻る。また、赤外線通信制御部１５０は、ステップＳ１０２またはステップＳ１０４においてデータ管理部１５６によって赤外線通信ボタン１７４が操作されたと判定された場合には、赤外線受信処理を起動する（ステップＳ１０５）。
【００２８】
続いて、赤外線通信制御部１５０は、赤外線通信によって他の携帯電話からデータを取得する（ステップＳ１０６）。続いて、データ管理部１５６は、選択されているフォルダに取得されたデータを格納する（ステップＳ１０７）。具体的には、データ管理部１５６は、赤外線通信ボタン１７４が操作された際に、フォルダリスト画像１７０で選択カーソル１７２によって選択されていたフォルダに対応付けて、取得データをデータ記憶部１６０に格納する。または、データ管理部１５６は、赤外線通信ボタン１７４が操作された際に、データリスト画像１８０でデータの内容が表示されていたフォルダに対応付けて、取得データをデータ記憶部１６０に格納する。また、データ管理部１５６は、データ記憶部１６０に格納した取得データの属性情報として、この取得データがどのフォルダに関連付けられているかという情報を、管理データ記憶部１５８に格納する。
【００２９】
本実施例では、データ管理部１５６は、取得データの属性情報として、予め設定されている取得データ用フォルダまたはデータ交換用フォルダ等を関連付けるとともに、赤外線通信起動時に選択されていたフォルダを関連付けるものとする。これによれば、利用者に対して、あたかも携帯電話１００の初期設定等で予め設定されたフォルダと、赤外線通信起動時に選択したフォルダの両方に取得データが格納されていると意識させることができるため、取得データの検索の操作性を向上させることができる。ただし、データ管理部１５６は、取得データの属性情報として、赤外線通信起動時に選択されていたフォルダのみを関連付けることもできる。
【００３０】
続いて、データ管理部１５６は、赤外線通信の起動元の画面を判定する（ステップＳ１０８）。具体的には、データ管理部１５６は、赤外線通信ボタン１７４が操作された際に、表示部１０６に表示していた画像が、フォルダリスト画像１７０かデータリスト画像１８０かを判定する。データ管理部１５６は、フォルダリスト画像１７０から赤外線通信が起動されたと判定した場合には、ステップＳ１０１に戻る。一方、データ管理部１５６は、データリスト画像１８０から赤外線通信が起動されたと判定した場合には、取得されたデータをデータリスト画像１８０に追加し（ステップＳ１０９）、ステップＳ１０３に戻る。
【００３１】
図６は、取得データが格納される前のフォルダＢのデータの格納状況の一例を示す図であり、図７は、取得データが格納された後のフォルダＢのデータの格納状況の一例を示す図である。図６に示すように、取得データが格納される前のフォルダＢには、データａ〜データｄが格納されており、取得データが格納された後のフォルダＢには、データｅが新たに追加され、データａ〜データｅが格納される。
【００３２】
図８は、取得データが格納された後のデータリスト画像の一例を示す図である。図８に示すように、ステップＳ１０９によって、取得されたデータがデータリスト画像１８０に追加されると、データリスト画像１８０には、データａ〜データｅが表示される。
【００３３】
以上、本実施例の携帯電話１００によれば、簡易な操作で任意のフォルダに迅速に取得データを格納することができる。すなわち、従来の携帯電話では、赤外線通信によって他の電子機器から取得したデータを、例えば取得データ用フォルダまたはデータ交換用フォルダ等の予め設定されたフォルダに格納することが知られている。この場合、利用者が任意の新規フォルダを作成して、その新規フォルダに取得データを格納するためには、予め設定されたフォルダから新規フォルダにデータを手作業で移動させるため、操作が煩雑である。また、利用者が作成した任意のフォルダに取得データを格納する技術が知られている。この場合、取得データの格納用のフォルダを作成した後、携帯電話の待ち受け画面に戻り、待ち受け画面からメニュー操作を行って赤外線通信を起動するので、操作が煩雑であるし、データ格納用のフォルダを選択した後データを迅速に取得するのが難しい。これに対して、本実施例の携帯電話１００は、フォルダリスト画像１７０またはデータリスト画像１８０でフォルダを選択した状態から、赤外線通信ボタン１７４を押下する簡易かつ直感的な操作で、所望のフォルダに迅速に取得データを格納することができる。
【実施例２】
【００３４】
以下、第２実施例の携帯電話２００について説明する。第１実施例は、赤外線通信によって外部の電子機器から取得されたデータを任意のフォルダに格納する例を説明したが、第２実施例の携帯電話は、カメラによる画像撮像機能を備え、カメラで撮影したデータを任意のフォルダに格納する例を説明する。なお、第２実施例は、データ管理装置の一例として携帯電話を用いて説明するが、携帯電話に限らず、PDA(Personal Digital Assistant)やデジタルカメラ等、カメラによる画像撮像機能を備える電子装置に適用することもできる。
【００３５】
図９は、第２実施例の携帯電話のハードウェア構成を示す図である。図９に示すように、本実施例の携帯電話２００は、無線通信部２０４、表示部２０６、音声入出力部２１２、カメラモジュール２２０、メモリ２３０、SD(Secure Digital)カード挿入スロット２３５、およびプロセッサ２４０を備える。SDカード挿入スロット２３５には、SDカード２３６が挿入されている。
【００３６】
無線通信部２０４、表示部２０６、および音声入出力部２１２は、第１実施例の携帯電話１００における無線通信部１０４、表示部１０６、および音声入出力部１１２と同様であるので説明を省略する。また、メモリ２３０、およびプロセッサ２４０は、第１実施例の携帯電話１００におけるメモリ１３０、およびプロセッサ１４０と同様であるので説明を省略する。
【００３７】
カメラモジュール２２０は、レンズ、イメージセンサ、および信号処理デバイスなどの部品を備えた画像撮像部であり、画像撮像機能により画像データ等を取得する。
【００３８】
図１０は、第２実施例の携帯電話２００の機能ブロックを示す図である。携帯電話２００は、プロセッサ２４０がRAM２３４から各種プログラムを読み出して実行することによって実現される機能ブロックとして、カメラモジュール制御部２５０、表示制御部２５２、入力制御部２５４、およびデータ管理部２５６を備える。また、携帯電話２００は、管理データ記憶部２５８、およびデータ記憶部２６０を備える。管理データ記憶部２５８、およびデータ記憶部２６０は、例えばRAM２３４の内部に設けられるデータの記憶部である。
【００３９】
カメラモジュール制御部２５０は、カメラモジュール２２０を制御して、画像撮像機能による画像データの撮像制御を実行する。表示制御部２５２、入力制御部２５４、およびデータ管理部２５６は、第１実施例の携帯電話１００の表示制御部１５２、入力制御部１５４、およびデータ管理部１５６と同様であるので説明を省略する。また、データ記憶部２６０および管理データ記憶部２５８は、第１実施例の携帯電話１００のデータ記憶部１６０および管理データ記憶部１５８と同様であるので説明を省略する。
【００４０】
次に、表示部２０６に表示されるフォルダリスト画像とデータリスト画像について説明する。図１１は、第２実施例のフォルダリスト画像の一例を示す図である。図１１に示すようにフォルダリスト画像２７０は、データを格納する候補となる複数のフォルダＡ〜フォルダＥを表示部２０６に表示するとともに、複数のフォルダＡ〜フォルダＥのいずれかが選択された状態の画像である。フォルダの選択操作は、例えば選択カーソル２７２を携帯電話２００の操作部の上下操作キーによって上下操作させて、選択するフォルダを反転表示させることにより、任意のフォルダを選択することができる。図１１のフォルダリスト画像２７０は、フォルダＡ〜フォルダＥのうちフォルダＢが選択された状態を示している。本実施例は、他の電子機器から赤外線通信によって取得したデータをフォルダＢに格納する例を説明する。また、図１１に示すように、フォルダリスト画像２７０を表示部２０６に表示した状態で、戻るボタン２７３とカメラ起動ボタン２７４それぞれを押下操作できるようになっている。
【００４１】
図１２は、第２実施例のデータリスト画像の一例を示す図である。図１２は、図１１のフォルダリスト画像２７０でフォルダＢが選択カーソル２７２によって選択された状態において、例えば携帯電話２００の操作部の実行キーが押下されたときに表示される画像である。図１２に示すように、データリスト画像２８０は、フォルダＢに格納されている複数のデータａ〜データｄが表示された状態の画像である。また、図１２に示すように、データリスト画像２８０を表示部２０６に表示した状態で、戻るボタン２７３とカメラ起動ボタン２７４それぞれを押下操作できるようになっている。
【００４２】
次に、第２実施例の携帯電話２００のデータ管理処理について説明する。図１３は、第２実施例の携帯電話のデータ管理処理を示すフロー図である。図１３に示すように、データ管理処理において、まず、表示制御部２５２は、表示部２０６にフォルダリスト画像２７０を表示する（ステップＳ２０１）。続いて、データ管理部２５６は、フォルダリスト画像２７０を表示している状態で、どの入力操作がなされたかを判定する（ステップＳ２０２）。具体的には、データ管理部２５６は、戻るボタン２７３が操作されたか、携帯電話２００の操作部の実行キーが操作されたか、またはカメラ起動ボタン２７４が操作されたかを判定する。データ管理部２５６は、戻るボタン２７３が操作された場合には、処理を終了する。また、表示制御部２５２は、データ管理部２５６によって携帯電話２００の操作部の実行キーが操作されたと判定された場合には、選択カーソル２７２によって選択されているフォルダのデータリスト画像２８０を表示部２０６に表示する（ステップＳ２０３）。
【００４３】
データリスト画像２８０を表示した後、データ管理部２５６は、データリスト画像２８０を表示している状態で、どの入力操作がなされたかを判定する（ステップＳ２０４）。具体的には、データ管理部２５６は、戻るボタン２７３が操作されたか、またはカメラ起動ボタン２７４が操作されたかを判定する。データ管理部２５６は、戻るボタン２７３が操作された場合には、ステップＳ２０１に戻る。また、カメラモジュール制御部２５０は、ステップＳ２０２またはステップＳ２０４においてデータ管理部２５６によってカメラ起動ボタン２７４が操作されたと判定された場合には、カメラ機能を起動する（ステップＳ２０５）。
【００４４】
続いて、カメラモジュール制御部２５０は、カメラによる画像撮像によってデータを取得する（ステップＳ２０６）。続いて、データ管理部２５６は、選択されているフォルダに取得されたデータを格納する（ステップＳ２０７）。具体的には、データ管理部２５６は、カメラ起動ボタン２７４が操作された際に、フォルダリスト画像２７０で選択カーソル２７２によって選択されていたフォルダに対応付けて、取得データをデータ記憶部２６０に格納する。または、データ管理部２５６は、カメラ起動ボタン２７４が操作された際に、データリスト画像２８０でデータの内容が表示されていたフォルダに対応付けて、取得データをデータ記憶部２６０に格納する。また、データ管理部２５６は、データ記憶部２６０に格納した取得データの属性情報として、この取得データがどのフォルダに関連付けられているかという情報を、管理データ記憶部２５８に格納する。
【００４５】
本実施例では、データ管理部２５６は、取得データの属性情報として、予め設定されている取得データ用フォルダまたはデータ交換用フォルダ等を関連付けるとともに、カメラ起動時に選択されていたフォルダを関連付けるものとする。これによれば、利用者に対して、あたかも携帯電話２００の初期設定等で予め設定されたフォルダと、カメラ起動時に選択したフォルダの両方に取得データが格納されていると意識させることができるため、取得データの検索の操作性を向上させることができる。ただし、データ管理部２５６は、取得データの属性情報として、カメラ起動時に選択されていたフォルダのみを関連付けることもできる。
【００４６】
続いて、データ管理部２５６は、カメラ機能の起動元の画面を判定する（ステップＳ２０８）。具体的には、データ管理部２５６は、カメラ起動ボタン２７４が操作された際に、表示部２０６に表示していた画像が、フォルダリスト画像２７０かデータリスト画像２８０かを判定する。データ管理部２５６は、フォルダリスト画像２７０からカメラ機能が起動されたと判定した場合には、ステップＳ２０１に戻る。一方、データ管理部２５６は、データリスト画像２８０からカメラ機能が起動されたと判定した場合には、取得されたデータをデータリスト画像２８０に追加し（ステップＳ２０９）、ステップＳ２０３に戻る。なお、取得データが格納される前後のフォルダＢのデータの格納状況、および取得データが格納された後のデータリスト画像については、第１実施例で説明した図６〜図８と同様である。
【００４７】
以上、第２実施例の携帯電話２００によれば、第１実施例の携帯電話１００と同様に、簡易な操作で任意のフォルダに迅速に取得データを格納することができる。すなわち、第２実施例の携帯電話２００によれば、フォルダリスト画像２７０またはデータリスト画像２８０でフォルダを選択した状態から、カメラ起動ボタン２７４を押下する簡易かつ直感的な操作で、所望のフォルダに迅速に取得データを格納することができる。
【００４８】
なお、第１，第２実施例は、主にデータ管理装置およびデータ管理方法を中心に説明したが、これに限らず、あらかじめ用意されたデータ管理プログラムをコンピュータで実行することによって、上述の第１，第２実施例と同様の機能を実現することができる。すなわち、データ管理プログラムは、コンピュータに、データを格納するフォルダに関するフォルダ画像を表示部に表示させた状態で、データ取得部によるデータ取得指示の入力を受け付ける処理を実行させる。また、データ管理プログラムは、コンピュータに、前記受け付けたデータ取得指示に応じて前記データ取得部を制御して前記データを取得する処理を実行させる。また、データ管理プログラムは、コンピュータに、前記取得されたデータを、前記データ取得指示を受け付けた際に前記表示部に表示されていた前記フォルダ画像によって特定されるフォルダに対応付けてデータ記憶部に格納する処理を実行させる。なお、データ管理プログラムは、インターネットなどの通信ネットワークを介してコンピュータに配布することができる。また、データ管理プログラムは、コンピュータに設けられたメモリ、ハードディスク、その他のコンピュータで読み取り可能な記録媒体に記録され、コンピュータによって記録媒体から読み出されることによって実行することもできる。
【符号の説明】
【００４９】
１００，２００  携帯電話
１０６，２０６  表示部
１２０  赤外線通信部
１３０，２３０  メモリ
１４０，２４０  プロセッサ
１５０  赤外線通信制御部
１５２，２５２  表示制御部
１５４，２５４  入力制御部
１５６，２５６  データ管理部
１５８，２５８  管理データ記憶部
１６０，２６０  データ記憶部
１７０，２７０  フォルダリスト画像
１７２，２７２  選択カーソル
１７４  赤外線通信ボタン
１８０  データリスト画像
２２０  カメラモジュール
２５０  カメラモジュール制御部
２７４  カメラ起動ボタン
【図１】
2012059067.tif 000003
【図２】
2012059067.tif 000004
【図３】
2012059067.tif 000005
【図４】
2012059067.tif 000006
【図５】
2012059067.tif 000007
【図６】
2012059067.tif 000008
【図７】
2012059067.tif 000009
【図８】
2012059067.tif 000010
【図９】
2012059067.tif 000011
【図１０】
2012059067.tif 000012
【図１１】
2012059067.tif 000013
【図１２】
2012059067.tif 000014
【図１３】
2012059067.tif 000015